(57)【要約】      （修正有）【課題】  連結する役目をする部位である智とブリッジとに磁石を設けて本体メガネと補助メガネとが相互に閉じた状態で結合するメガネを提供する。【解決手段】  メガネの連結部である智部とブリッジ部との相互に磁石を設けて補助メガネと本体メガネとを結合することによって正面で閉じた状態で構成されるメガネにおいて、本体メガネの上側部、すなわちリムの中央上側部またはトップバーが構成されたメガネの場合、トップバーの上側中央部に開いた状態で固定するための本体メガネ磁石を設け、補助メガネの対応する上側部、すなわち補助メガネのリムの中央上側部またはトップバーが構成されたメガネの場合、トップバーの上側中央部に開いた状態で固定するための補助メガネ磁石を設け、補助メガネを使用しない場合、補助メガネの下部を正面に向けて持ち上げれば自然に前記各メガネの上側部が磁力で固定されるように構成することを含む。【選択図】図１
2006113522.tif 000002
【特許請求の範囲】
【請求項１】
メガネの連結部である智部とブリッジ部との相互に磁石を設けて補助メガネと本体メガネとを結合することによって正面で閉じた状態で構成されるメガネにおいて、
本体メガネの上側部、すなわちリムの中央上側部またはトップバーが構成されたメガネの場合、トップバーの上側中央部に開いた状態で固定するための本体メガネ磁石（１００）を設け、
補助メガネの対応する上側部、すなわち補助メガネのリムの中央上側部またはトップバーが構成されたメガネの場合、トップバーの上側中央部に開いた状態で固定するための補助メガネ磁石（３００）を構成し、補助メガネを使用しない場合、補助メガネの下部を正面に向けて持ち上げれば自然に前記各メガネの上側部が磁力で固定されるように構成することを特徴とする、本体メガネの上側に開いた状態で固定可能な補助メガネを有するメガネ。
【請求項２】
開いた状態で固定するための補助メガネ磁石（３００）は、メガネのトップバーまたはリムの上側部を広く構成して磁石を含ませて構成することを特徴とする請求項１記載の本体メガネの上側に開いた状態で固定可能な補助メガネを有するメガネ。
【請求項３】
開いた状態で固定するための補助メガネ磁石（３００）は、前記磁石をメガネのトップバーまたはリムの上側部と連結させ、別途突出した形で構成することを特徴とする請求項１記載の本体メガネの上側に開いた状態で固定可能な補助メガネを有するメガネ。
【発明の詳細な説明】
【技術分野】
【０００１】
本発明は、補助メガネと本体メガネとが相互にブリッジまたは智に設けられた磁石によって固定される補助メガネと本体メガネとで構成されるメガネにおいて、補助メガネを本体メガネの上方に開いた状態で固定させることのできるメガネに関する。
【背景技術】
【０００２】
従来、本体メガネと補助メガネとがメガネのブリッジ部とリムの智部において、相互磁力で正面で閉じた状態固定される技術は、多数開発されている。
【０００３】
特許文献１の米国特許５，５６８，２０７号、特許文献２のＰＣＴ  ＷＯ００／６２１１７号、および特許文献３の米国特許６，１２０，１１４号などには、ブリッジ部に相互対応する磁石を設けて正面で閉じた状態で結合するものが開示されており、特許文献４の米国特許５，９７５，６９１号には、ブリッジの数ヶ所の部分に相互対応する磁石を設けて正面で閉じた状態で結合するものが開示されている。
【０００４】
前記各技術は、ブリッジと智というメガネの構造において重要な各構成体同士を連結する役目をするそれぞれの部位に相互対応できる磁石を設け、正面で閉じた状態で結合して使用するものである。結合用磁石を設けるに際し、連結する役目をするそれぞれの部位に磁石を設けることは、その他の部位に磁石を設けるよりも効率的であり、デザイン的にそれほど拒否感がなく、効率的な構成が可能である。ところが、このような構成において、補助メガネを使用しないときは、補助メガネを分離して別途保管しなければならないという不都合があった。
【０００５】
ここで、連結する役目をするメガネ部位を通じて磁力で結合されるメガネにおいて、補助メガネを使用しないときに、より簡便で効率的に補助メガネを処理する必要性が要求されているのが現状である。
【０００６】
【特許文献１】米国特許５，５６８，２０７号
【特許文献２】ＰＣＴ  ＷＯ００／６２１１７号
【特許文献３】米国特許６，１２０，１１４号
【特許文献４】米国特許５，９７５，６９１号
【発明の開示】
【発明が解決しようとする課題】
【０００７】
したがって、本発明は、かかる諸問題点を一掃するために創案されたもので、連結する役目をする部位である智とブリッジとに磁石を設けて本体メガネと補助メガネとが相互に閉じた状態で結合するメガネにおいて、本体メガネのリムの上側またはトップバーが構成されるメガネには、トップバーに開いた状態で固定するための本体メガネ磁石を設け、補助メガネが本体メガネの前方に開かれて上側に持ち上げられた状態で固定され得るように、補助メガネのリムの上側、またはトップバーが構成されるメガネには、トップバーに開いた状態で固定されるための補助メガネ磁石を設けたものであって、連結部分に磁石が設けられて結合される補助メガネと本体メガネとで構成されるメガネにおいて、補助メガネを使用しない場合、補助メガネが本体メガネの正面に開かれながら両方のリムの上側部が相互磁力で固定されることにより、補助メガネを処理できるように構成することを技術的課題として創案した。
【課題を解決するための手段】
【０００８】
上記目的を達成するために、本発明は、メガネの連結部である智部とブリッジ部の相互に磁石を設けて補助メガネと本体メガネとを結合することによって、正面で閉じた状態で構成されるメガネにおいて、本体メガネの上側部、すなわちリムの中央上側部またはトップバーが構成されたメガネの場合は、トップバーの上側中央部に開いた状態で固定するための本体メガネ磁石を設け、補助メガネの対応する上側部すなわち補助メガネのリムの中央上側部またはトップバーが構成されたメガネの場合は、トップバーの上側中央部に開いた状態で固定するための補助メガネ磁石を設け、補助メガネを使用しない場合に、補助メガネの下部を正面に向けて持ち上げれば自然に前記各メガネの上側部が磁力で固定されるように構成することを含む、補助メガネが本体メガネの上側に開いた状態で固定され得るようにすることを特徴とする。
【発明の効果】
【０００９】
上述したような方法および構成でなる補助メガネが本体メガネの上側に開いた状態で固定され得るようにする補助メガネを通じ、メガネにおいて機能的な役目をしていない部分である連結部すなわちブリッジおよび智部に磁石を設けて補助メガネと本体メガネとを相互に結合するメガネにおいて、補助メガネを本体メガネの上側に持ち上げて開いた状態で固定できるように別途固定する役目をする磁石１００、３００を別途に構成して提供することにより、使用の便宜性と保管の便宜性を一層高めることができ、期待される効果が大きい発明であると言えよう。
【発明を実施するための最良の形態】
【００１０】
図１は本発明の好適な一実施例を示す作動断面図であり、図２は本発明の好適な一実施例を示す開いて固定した状態の斜視図であり、図３〜図１１は本発明の好適な一実施例を示す閉じて締結した状態の斜視図である。補助メガネが本体メガネの上側に開いた状態で固定され得るようにする補助メガネを詳しく説明すると、従来のメガネの連結部であるブリッジ部と智部の相互に磁石を設けて補助メガネと本体メガネとを結合することによって、正面で閉じた状態で構成されるメガネは数多く発明されているのが現状である。メガネの構成体であるリムとテンプルとを相互連結する役目をする智やブリッジは、別途の機能的な役目がなくてその他の役目をするための構成体として構成するのに好適である。よって、上述したような相互に磁石を設けて補助メガネを本体メガネに結合させて固定する。このような構成でなる補助メガネと本体メガネとにおいて、補助メガネを使用しない場合や、しばらく取り外す必要性のある場合、補助メガネを本体メガネから分離して別途に保管しなければならないという不都合があった。
【００１１】
そこで、本発明では、図１および図２に示すように、本体メガネの上側部すなわちリムの中央上側部またはトップバーが構成されたメガネの場合は、トップバーの上側中央部に開いた状態で固定するための本体メガネ磁石１００を設け、補助メガネの対応する上側部すなわち補助メガネのリムの中央上側部またはトップバーが構成されたメガネの場合は、トップバーの上側中央部に開いた状態で固定するための補助メガネ磁石３００を構成し、補助メガネを使用しない場合、補助メガネの下部を正面に持ち上げれば自然に両方の上側部が相接しながら本体メガネの正面の方に持ち上げられて固定され得るように構成する。
【００１２】
開いた状態で固定するための本体メガネ磁石１００は、トップバーの上側またはリムの中央上側部上に埋設または突出させて設けて磁力が発生するようにし、開いた状態で固定するための補助メガネ磁石３００は、開いた状態で固定するための本体メガネ磁石１００と対応する位置に設けるようにし、補助メガネのリムの中央上側部またはトップバーが構成されたメガネの場合、トップバーの上側中央部に開いた状態で固定するための補助メガネ磁石３００を設ける。この際、開いた状態で固定するための補助メガネ磁石３００と、開いた状態で固定するための本体メガネ磁石１００とは、閉じた状態では相互に磁力が発生しないように、または微弱になるようにし、補助メガネを正面に持ち上げたときに磁力が強く作用できるような磁力が構成されるように、補助メガネの開いた状態で固定するための補助メガネ磁石３００の位置と方向とを決定する。本発明では、磁石を補助メガネのリムの上側部で連結し突出させ、突出部の裏面から磁力が生成され得るように磁石を設けて上側に持ち上げて固定させようとしている。そして、開いた状態で固定するための補助メガネ磁石３００は、メガネのトップバーまたはリムの上側部を広く構成して磁石を含ませて設けたり、参考図面のように前記磁石を上側部と連結して構成し、別途に突出した形態で設けることもできる。
【００１３】
したがって、図３〜図１１に示すように、閉じた状態で結合する際は、従来の連結部であるブリッジまたは智に相互に連結された磁石で正面で閉じた状態で結合となり、開いた状態で固定する際は、リムの上側部またはトップバーに相互に対応するように設けられた磁石によって補助メガネが正面に持ち上げられて固定した状態が維持されるようになる。
【図面の簡単な説明】
【００１４】
【図１】本発明の好適な一実施例を示す作動断面図である。
【図２】本発明の好適な一実施例を示す開いて固定した状態の斜視図である。
【図３】本発明の好適な一実施例を示す閉じて締結した状態の斜視図である。
【図４】本発明の好適な一実施例を示す閉じて締結した状態の斜視図である。
【図５】本発明の好適な一実施例を示す閉じて締結した状態の斜視図である。
【図６】本発明の好適な一実施例を示す閉じて締結した状態の斜視図である。
【図７】本発明の好適な一実施例を示す閉じて締結した状態の斜視図である。
【図８】本発明の好適な一実施例を示す閉じて締結した状態の斜視図である。
【図９】本発明の好適な一実施例を示す閉じて締結した状態の斜視図である。
【図１０】本発明の好適な一実施例を示す閉じて締結した状態の斜視図である。
【図１１】本発明の好適な一実施例を示す閉じて締結した状態の斜視図である。
【符号の説明】
【００１５】
１００    開いた状態で固定するための本体メガネ磁石
３００    開いた状態で固定するための補助メガネ磁石
【図１】
2006113522.tif 000003
【図２】
2006113522.tif 000004
【図３】
2006113522.tif 000005
【図４】
2006113522.tif 000006
【図５】
2006113522.tif 000007
【図６】
2006113522.tif 000008
【図７】
2006113522.tif 000009
【図８】
2006113522.tif 000010
【図９】
2006113522.tif 000011
【図１０】
2006113522.tif 000012
【図１１】
2006113522.tif 000013